(57)【要約】      （修正有）【課題】電車のドアが閉じ開きする動作によって動的な絵に見えて、駅のプラットホーム上に立つ人々を楽しませる、電車用表示シートを提供する。【解決手段】可撓性合成樹脂製シートの表面に絵が印刷され、シートの裏面に貼り付け用の粘着剤層が設けられた表示シートであって、電車の乗客が乗降する両開きドア５の窓面を除く外側面に広く夫々貼り付けられる計２枚を有し、２枚の表示シートを横方向に並べると１つの場面の絵になるドア用表示シートの組み合わせ品であり、各ドア用表示シートは、両開きドアの閉じ開きの動作によって近接離反する方向に移動したときに動きがある絵として見えるように構成されている。【選択図】図３
0003225099.tif 000002
【実用新案登録請求の範囲】
【請求項１】
可撓性合成樹脂製シートの表面に絵が印刷され、該シートの裏面に貼り付け用の粘着剤層が設けられた表示シートであって、
該表示シートは、電車の乗客が乗降する両開きドアの窓面を除く外側面に広く夫々貼り付けられる計２枚を有し、この２枚の表示シートを横方向に並べると１つの場面の絵になるドア用表示シートの組み合わせ品であり、
該各ドア用表示シートは、前記両開きドアの閉じ開きの動作によって近接離反する方向に移動したときに前記場面に動きがある絵として見えるように構成されている、電車用表示シート。
【請求項２】
可撓性合成樹脂製シートの表面に絵が印刷され、該シートの裏面に貼り付け用の粘着剤が設けられた表示シートであって、
該表示シートは、電車の乗客が乗降する両開きドアのガラス窓を除く外側面に広く夫々貼り付けられる計２枚のドア用表示シートと、車体外側面における前記ドアの両側方に位置する戸袋幅部分の面に夫々貼り付けられる計２枚の車体用表示シートとによる、総計４枚の表示シートの組み合わせ品であり、
これら４枚の表示シートは、前記各ドアが閉じられた状態にあるとき、横方向に並んだ１つ場面の絵として見え、
前記各ドア用表示シートは、前記両開きドアの閉じ開きの動作によって近接離反する方向に移動したときに前記場面に動きがある絵として見えるように構成されている、電車用表示シート。
【請求項３】
前記各表示シートのうちの少なくとも１枚は、人、動物、乗物、動きのある物体等の絵の外形に略沿う形状にカットされている、請求項１又は２に記載の電車用表示シート。
【考案の詳細な説明】
【技術分野】
【０００１】  本願考案は、車の乗客が乗降する両開きドアのガラス窓を除く外側面に広く夫々貼り付けられる電車用表示シートに関し、電車のドアが閉じ開きする動作によって動きのある絵に見え、駅のプラットホーム上に立つ人々を楽しませる。
【背景技術】
【０００２】  電車の車体の外側面に観光地の絵が印刷された幅広い表示シートを貼ることは、従来から知られていた。また、この絵が電車のドアにまで及ぶこともあった。【０００３】  しかしながら、従来によるこの種の表示シートは、電車のドアの開閉動作を関連づけていない静止した絵と見えるように描かれていた。このため、絵が人を楽しませたり、広告としての機能を発揮することができても、人を絵が描かれている場面を見てアッと驚くことは少なく、この場面に感情移入することは少なかった。
【考案の概要】
【考案が解決しようとする課題】
【０００４】  本願考案は、電車のドアが閉じ開きする動作によって動的な絵に見えて、駅のプラットホーム上に立つ人々に歓心を楽しませる、電車用表示シートを提供することを解決課題とする。
【課題を解決するための手段】
【０００５】  請求項１に対応する電車用表示シートは、次の構成を備える。
（１）可撓性合成樹脂製シートの表面に絵が印刷され、該シートの裏面に貼り付け用の粘着剤層が設けられた表示シートである。
（２）該表示シートは、電車の乗客が乗降する両開きドアの窓面を除く外側面に広く夫々貼り付けられる計２枚を有し、この２枚の表示シートを横方向に並べると１つの場面の絵になるドア用表示シートの組み合わせ品である。
（３）該各ドア用表示シートは、前記両開きドアの閉じ開きの動作によって近接離反する方向に移動したときに前記場面に動きがある絵として見えるように構成されている【０００６】  この可撓性合成樹脂製シートは、厚いフィルムも含まれる。前記粘着剤層は、外気温や強い風雨等の自然環境の変化、いたずらなどによって剥がれることがない強粘着性があるが、表示シートが不要になれば、強制的に剥がすことは可能である。この段落において記載された以上の点については、電車の外側面に貼り付けて使用する従来型の付き粘着型表示シートと同じものである。【０００７】  本願考案は、上記（２）と（３）において大きな特徴が見られる。
２枚のドア用絵付き粘着シートに印刷された絵が動的に見えるようにするためには、絵の内容も重要になる。つまり、絵に描かれているもののうち、動的な絵と見せる部分の位置、絵の大きさやドア用絵付き粘着シートの大きさなどが重要になる。
より好ましい形態として、前記両開きドアのガラス窓より下方の面に幅広く貼り付けたれる方形のものが挙げられる。
前記絵に用いる塗料は、夜間に絵が光る蓄光塗料を用いてもよい。
前記絵は、写真を拡大した絵であってもよい。また、図案化された絵であってもよい。
前記絵は、文字、広告、マーク等が更に印刷された絵であってもよい。
絵とは別に、文字、広告、マーク等が印刷された欄を設けてもよい、
本段落における以上の各記載は、次の段落に記載された電車用表示シートについても適用される。【０００８】  請求項２に対応した電車用表示シートは、次の構成を備える。
（１）可撓性合成樹脂製シートの表面に絵が印刷され、該シートの裏面に貼り付け用の粘着剤層が設けられた表示シートである。
（２）該電車用表示シートは、電車の乗客が乗降する両開きドアのガラス窓を除く外側面に広く夫々貼り付けられる計２枚のドア用表示シートと、車体外側面における前記ドアの両側方に位置する戸袋幅部分の面に夫々貼り付けられる計２枚の車体用表示シートとによる、総計４枚の表示シートの組み合わせ品である。
（３）これら４枚の表示シートは、前記各ドアが閉じられた状態にあるとき、横方向に並んだ１つ場面の絵として見える。
（４）前記各ドア用表示シートは、前記両開きドアの閉じ開きの動作によって近接離反する方向に移動したときに前記場面に動きがある絵として見えるように構成されている。【０００９】  請求項３に対応した電車用表示シートは、次の構成を備える。
（１）前記請求項１、請求項２のいずれかに記載の構成を備える。
（２）前記各表示シートのうちの少なくとも１枚は、人、動物、乗物、動きのある物体等の絵の外形に略沿う形状にカットされている。
【考案の効果】
【００１０】  本願考案に係る電車用表示シートは、電車のドアが閉じ開きする動作によって動きのある絵に見えるため、駅のプラットホーム上に立つ人々を驚きと関心をもって楽しませる。
また、電車のドアの両側方の戸袋幅に相当する車体外側面部分にも絵が印刷されていると、壮大な絵となって組み合わされる。このため、駅のプラットホーム上に立つ人々を更に楽しませる。
前記各表示シートのうちの少なくとも１枚が、人、動物、乗物、動きのある物体等の絵の外形に合せた形状にカットされていると、背景の無い表示シートを含めることができ、この絵をすることができる。
【図面の簡単な説明】
【００１１】
【図１】（ａ）は電車の両開きドア周辺を電車の外側から見た図、（ｂ）は第１実施形になる電車用表示シートであるドア用表示シートの貼り付け個所を示した図。
【図２】（ａ）及び（ｂ）はこのドア用表示シートの組み合わせの一例を示した図。
【図３】（ａ）はこのドア用表示シートを貼り付けた電車のドアが閉じる途中の状態を示した図、（ｂ）は同じくドアが閉じ終えた状態を示した図。
【図４】第２実施形態になる電車用表示シートのドア用表示シートと車体用表示シートの各貼り付け個所を示した図。
【図５】第２実施形態の一例になる、（ａ）は左側のドア用表示シートを示した図、（ｂ）は右側のドア用表示シートを示した図、（ｃ）は左側の車体用表示シートを示した図、（ｄ）は右側の車体用表示シートを示した図であり、これらの表示シートにはラグビーススタジアム内の様子が横並びに分割された絵が示されている。
【図６】第２実施形態の一例になる各表示シートを貼り付けた電車を、ドアが閉じる途中の状態で示した図。
【図７】同じくドアが閉じ終えた状態で示した図。
【図８】第２実施形態の他例になり、（ａ）は左側のドア用表示シートを示した図、（ｂ）は右側のドア用表示シートを示した図、（ｃ）は左側の車体用表示シートを示した図、（ｄ）は右側の車体用表示シートを示した図であり、これらの表示シートには野球場内の様子が横並びに分割された絵が示されている。
【図９】第２実施形態の他例になる電車用表示シートを貼り付けた電車を、ドアが閉じる途中の状態で示した図。
【図１０】同じくドアが閉じ終えた状態で示した図。
【図１１】第３実施形態に係る電車用表示シートの一例を示した図。
【考案を実施するための形態】
【００１２】  以下、本願考案の各実施形態を、添付図面に沿って詳述する。
図１〜図３は請求項１に対応した図であり、図４〜図１０は請求項２に対応した図であり、図１１は請求項３に対応した図である。
【００１３】［電車について］
図１（ａ）に両開きドアを備えた電車のドア周辺が示されている。
両開きドア４は、電車１の車体外側面に設けられている乗客の乗降口４を開閉するために設けられている。
両開きドア４の左側ドア５Ｌと右側ドア５Ｒは、開くと乗降口４両側の戸袋内に収まる。
３Ｌは車体側の左窓、３Ｒは車体側の右窓であり、ドア５Ｌ（５Ｒ）にもガラス窓５Ｌ（５１Ｒ）が設けられている。
車体側の左窓３Ｌと乗降口４との間の内側には、左側の戸袋（図示せず）が設けられており、車体の右窓３Ｒと乗降口４との間の内側にも、右側の戸袋（図示せず）が設けられている。
本段落では説明していないが、後述のために必要な個所には、各部の名称と符号が付されている。
【００１４】［第１実施形態］
図１（ｂ）に示す第１実施形態に係る電車用表示シートは、左右で一組のドア用表示シート７Ｌ，７Ｒによる組み合わせで構成されている。
図１（ｂ）に示すドア用表示シート７Ｌ，７Ｒは、貼り付け位置を示すため、絵が無い簡略したもので示されている。左側のドア用表示シート７Ｌは、左側ドア５Ｌの外側面５２Ｌにおける下部面５３Ｌに貼り付けられる。右側のドア用表示シート７Ｒは、右側ドア５Ｒの外側面５２Ｒにおける下部面５３Ｒに貼り付けられる。
【００１５】  図２（ａ）は左側のドア用表示シート７Ｌを、図２（ｂ）は右側のドア用表示シート７Ｒの形状と印刷された絵の一例を、夫々拡大して示している。
図２（ａ）（ｂ）に示すドア用表示シート７Ｌ，７Ｒは、可撓性合成樹脂製シートの表面７１に絵が印刷され、該シート７Ｌ，７Ｒの裏面７４に粘着剤層７５が形成されている。
粘着剤層は、シートの裏面に分散させて形成したものでよく、強粘着型の両面粘着テープ、強粘着型の両面粘着シートを後付けしたものでもよい。
図２（ａ）（ｂ）に示すドア用表示シート７Ｌ，７Ｒにおいては、印刷領域が、絵印刷欄７２，７２と、文字広告等印刷欄７３，７３とに区切られている。
絵印刷欄７２，７２には、ラクビープレーの絵が攻守に分けて印刷されている。具体的には、一方（右側）のドア用表示シート７Ｒには、ボールを持って走る選手が印刷されてり、他方（左側）のドア用表示シート７Ｌには、ボールを奪い取ろうとして待ち構える選手が印刷されている。図示していないが、攻守が左右逆であってもよい。
【００１６】  図２（ａ）に示すドア用表示シート７Ｌを、図１（ｂ）に示す電車１の左側ドア５Ｌに貼り付け、図２（ｂ）に示すドア用表示シート７Ｒを図１（ｂ）に示す電車１の右側ドア５Ｌに貼り付けると。ドア５Ｌ，５Ｒの閉じ開きする動作によって、図３（ａ）と（ｂ）に示す動きのある絵になる。
具体的には、ドア５Ｌ，５Ｒが閉じる方向に移動すると、ボールを持つ選手が走って動く姿に見え、ボールを奪い返そうと待ち受ける選手は、ドア５Ｌの閉じる方向と同じ方向に移動するが、選手の姿から立ち止まってボールを奪い返そうとする姿に見える。
ドア５Ｌ，５Ｒの閉じる動作によって、動きのあるラグビーの絵に見えると、駅のプラットホームにいる人を喜ばせる。
【００１７】［第２実施形態］
図４に示す第２実施形態に係る電車用表示シートは、電車１の乗客が乗降する両開きドア５（左右のドア５Ｌ，５Ｒ）のガラス窓を除く外側面に広く夫々貼り付けられる計２枚のドア用表示シート８Ｌ，８Ｒと、車体外側面２における両開きドア５（ドア５Ｌ，５Ｒ）の両側方に位置する戸袋幅部分の面に夫々貼り付けられる計２枚の車体用表示シート９Ｌ，９Ｒとを組み合わせたもので構成されている。
図４に示すドア用表示シート７Ｌ，７Ｒは、貼り付け位置を示すため、絵が無い簡略したもので示されている。
この電車用表示シートも、段落「００１５」に記載された内容（シート構造）を備えている。
【００１８】  図５（ａ）〜（ｄ）は、ドア用表示シート８Ｌ，８Ｒと、車体用表示シート９Ｌ，９Ｒを示しており、一例として、４枚を横並びにすると、１つのラグビー大会の場面になる絵が印刷されている。
ドア用表示シート８Ｌ，８Ｒには、第１実施形態と同様に、ラグビープレーの絵が攻守に分けて印刷されている。
そして、ドア用表示シート８Ｌ，８Ｒと車体用表示シート９Ｌ，９Ｒには、スタンド内全体の場面が印刷されている。
ドア５Ｌ，５Ｒの開閉動作によって絵が動くように見えること、とくに、ボールを持つ選手が走って動く姿に見えることについては、第１実施形態の場合と同様である。図６、図７は、この様子を示している。
第２実施形態に係る電車用表示シートは、選手の動きだけでなく、スタンド内全体の様子を表すため、プラットホームにいる人に競技場内にいるような視覚的雰囲気を与える。
【００１９】  第２実施形態に係る電車用表示シートの車体用表示シート９Ｌ，９Ｒには、文字・広告等の情報印刷欄７３，７３・・が設けられている。
文字情報としては、例えば、このラグビーの大会名、日程、開催場所、開催地の駅名等が挙げられる。これらの情報を絵と合せて表示すると、このラグビー大会があることを多くの人に案内する。
広告は、利用する電車の会社名、広告スポンサー会社名、広告スポンサー会社の商品名、広告スポンサー会社のブランドマーク、ラグビー大会のスポンサー名、ラグビー開催地の地方公共団体名等が挙げられる。
【００２０】［第２実施形態の他例］
図８（ａ）〜（ｄ）は、野球を題材にした４枚の電車用表示シートであり、この表示シートは図４に示す位置に貼り付けられる。
この他例の電車用表示シートと、図５に示す電車用表示シートとの違いは、絵だけである。このため、重複する説明は省略する。
【００２１】  このようにすると、図９、図１０に示すように、ドア５Ｌ，５Ｒの閉じ方向の移動によって、バッターが打ったボールが前方に飛んでいく、動く絵になって見える。
【００２２】［第３実施形態］
図１１に示す第３実施形態に係る電車用表示シートは、前述した他例の電車用表示シートにおける右側の車体用シートが、野球のバッターの外形に沿った形状にカットされたものになっている。また、文字・広告等の情報印刷欄７３と観客の絵が印刷された車体用表示シート１０も付け加えてられている。
第３実施形態の特徴は、各電車用表示シートのうちの少なくとも１枚は、人、動物、乗物、動きのある物体等の絵の外形に略沿う形状にカットされている点にある。
【産業上の利用可能性】
【００２３】  本願考案に係る電車用表示シートは、電車のドア、ドアを含めた周辺面に貼り付けて使用する。
【符号の説明】
【００２４】  １…電車、５Ｌ…左側ドア、５Ｒ…右側ドア、７Ｌ，７Ｒ…ドア用表示シート、８Ｌ，８Ｒ…ドア用表示シート、９Ｌ，９Ｒ…車体用表示シート、１０…車体用表示シート
【図１】
0003225099.tif 000003
【図２】
0003225099.tif 000004
【図３】
0003225099.tif 000005
【図４】
0003225099.tif 000006
【図５】
0003225099.tif 000007
【図６】
0003225099.tif 000008
【図７】
0003225099.tif 000009
【図８】
0003225099.tif 000010
【図９】
0003225099.tif 000011
【図１０】
0003225099.tif 000012
【図１１】
0003225099.tif 000013
【手続補正書】
【提出日】令和1年11月18日(2019.11.18)
【手続補正１】
【補正対象書類名】実用新案登録請求の範囲
【補正対象項目名】請求項３
【補正方法】変更
【補正の内容】
【請求項３】
前記各表示シートのうちの少なくとも１枚は、人、動物、乗物等、動きのある物体の絵の外形に略沿う形状にカットされている、請求項１又は２に記載の電車用表示シート。
【手続補正２】
【補正対象書類名】明細書
【補正対象項目名】０００９
【補正方法】変更
【補正の内容】
【０００９】  請求項３に対応した電車用表示シートは、次の構成を備える。
（１）前記請求項１、請求項２のいずれかに記載の構成を備える。
（２）前記各表示シートのうちの少なくとも１枚は、人、動物、乗物等、動きのある物体の絵の外形に略沿う形状にカットされている。
【手続補正３】
【補正対象書類名】明細書
【補正対象項目名】００２２
【補正方法】変更
【補正の内容】
【００２２】［第３実施形態］
図１１に示す第３実施形態に係る電車用表示シートは、前述した他例の電車用表示シートにおける右側の車体用シートが、野球のバッターの外形に沿った形状にカットされたものになっている。また、文字・広告等の情報印刷欄７３と観客の絵が印刷された車体用表示シート１０も付け加えてられている。
第３実施形態の特徴は、各電車用表示シートのうちの少なくとも１枚は、人、動物、乗物等、動きのある物体の絵の外形に略沿う形状にカットされている点にある